(57)【特許請求の範囲】
【請求項１】
一方のエプロンと他方のエプロンを接続して浴槽の一側面を覆うように形成されている分割型の浴槽エプロンであって、一方のエプロンに宛がわれる繋ぎ部が他方のエプロンに設けられて一方のエプロンと他方のエプロンとが接続され、一方のエプロンと他方のエプロンに、これらのエプロンを床パンに固定するための固定具が設けられ、他方のエプロンに、この他方のエプロンと対向する床パンの凸段差部の起立面を押圧する補助部材が設けられ、この補助部材が他方のエプロンを洗い場側に押して上記の繋ぎ部を一方のエプロンに押圧することを特徴とする分割型の浴槽エプロン。
【請求項２】
請求項１記載の分割型の浴槽エプロンであって、繋ぎ部と、一方のエプロンの裏面とが、嵌合可能に形成されていることを特徴とする分割型の浴槽エプロン。
【請求項３】
請求項１又は２記載の分割型の浴槽エプロンであって、繋ぎ部が、他方のエプロンの高さ方向に延ばされて縦長に形成されていることを特徴とする分割型の浴槽エプロン。
【請求項４】
請求項１乃至３の何れかに記載の分割型の浴槽エプロンであって、補助部材が、復元力を備え、床パン押圧部と、この床パン押圧部の一端に連なる取付部とで形成されていると共に、他方のエプロンの下部に、上記の取付部を利用して取り付けられていることを特徴とする分割型の浴槽エプロン。
【請求項５】
請求項１乃至３の何れかに記載の分割型の浴槽エプロンであって、補助部材が、床パン押圧部を取付部の周りに、取付部の同じ側に傾けられて、且つ夫々異なる状態で複数備え、何れか一つの床パン押圧部の開放端を下にして他方のエプロンの下部に、上記の取付部を利用して取り付けられていることを特徴とする分割型の浴槽エプロン。
【請求項６】
請求項４又は５記載の分割型の浴槽エプロンであって、補助部材が、繋ぎ部の近傍に設けられていることを特徴とする分割型の浴槽エプロン。
【発明の詳細な説明】
【技術分野】
【０００１】
本発明は、浴槽の側面を覆うエプロンが分割されている分割型の浴槽エプロンに関し、更に詳しくは分割されている複数のエプロン同士の接続機能を備えた分割型の浴槽エプロンに関するものである。
【背景技術】
【０００２】
従来、この種のエプロンとしては、例えば特許文献１に記載されているものがある。
この従来品は、エプロン同士の接続をワンタッチで簡単、迅速にできるよう、浴槽エプロンの一方側分割体の側壁を、洗い場側から他方側分割体の挟持部に挿入し、この側壁を、挟持部の押圧腕で他方側分割体の対向側壁に押圧して両分割体の接続を可能にしているものである。
【０００３】
特許文献１の従来品は、上記の通り、押圧腕で一方側分割体の側壁を側方に押し、他方側分割体の対向側壁に押圧する構造である。
従ってこの従来品の場合は、浴槽エプロンの左右方向の動きは規制できるものの、前後方向における動きについては確実に規制することができなかった。
その結果、この従来品によると、ユニットバスの成型歪みや浴槽エプロンの反り等を確実に抑えることができず、浴槽エプロンの接続箇所の前面に段差が生じ、接続状態を綺麗に体裁良くできない、という問題点があった。
【０００４】
ところで従来、例えば洗い場に面する浴槽エプロンは、浴槽の配管接続部に対応する側面位置を覆う幅狭の小型エプロンと、残りの浴槽側面を覆う幅広の大型エプロンとの、２分割に形成されることがある。
この場合、小型エプロンを床パンに固定する場合は、固定具の数を減らして部品コストを削減したり、手間隙を軽減する等の理由から、エプロン下部の中央を一箇所だけ固定することが多い。
【０００５】
従ってこの場合は、小型エプロンが固定具を中心に左右に傾いて不安定になり易かったから、この種の小型エプロンと大型エプロンとの接続作業にあっては、接続箇所の前面に段差が生じないよう、特に、しっかりと堅固に接続できるよう構成されているのが望ましい。
しかるに従来品は、上記の通り、一方の分割体の側壁を他方の分割体の対向側壁に押し付けて固定する構造であったから、これによると大型エプロンが小型エプロンの左右の動きに従動することもあり、この種の要望に充分応えることができなかった。
而して、この場合、両エプロンの接続に、専用の特殊な接続部品を必要とするのでは、接続作業が面倒でコストが高くつき、またメンテナンスの際の脱着や、リフォームの際に解体が不便になる、という新たな問題を来たすことになる。
【先行技術文献】
【特許文献】
【０００６】
【特許文献１】特開２００２−８５２７７号公報
【発明の概要】
【発明が解決しようとする課題】
【０００７】
本発明は、このような従来の問題点に鑑み、提案されたものである。
従って本発明の解決しようとする技術的課題は、ユニットバスの成型歪みや浴槽エプロンの反り等によってエプロン同士の接続箇所の前面に段差が生じないよう、しっかりと堅固に、しかも簡単、迅速、低コストで接続でき、またメンテナンス等の際の脱着も容易化できるよう形成した分割型の浴槽エプロンを提供することにある。
【課題を解決するための手段】
【０００８】
本発明は、上記の課題を解決するため、次のような技術的手段を採る。
即ち本発明は、図１等に示されるように、一方のエプロン１と他方のエプロン２を接続して浴槽３の一側面を覆うように形成されている分割型の浴槽エプロンであって、一方のエプロン１に宛がわれる繋ぎ部５が他方のエプロン２に設けられて一方のエプロン１と他方のエプロン２とが接続され、一方のエプロン１と他方のエプロン２に、これらのエプロン１、２を床パン８に固定するための固定具１１が設けられ、他方のエプロン２に、この他方のエプロン２と対向する床パン８の凸段差部８ａの起立面８ｂを押圧する補助部材９が設けられ、この補助部材９が他方のエプロン２を洗い場４側に押して上記の繋ぎ部５を一方のエプロン１に押圧することを特徴とする（請求項１）。
【０００９】
本発明の場合、繋ぎ部５は、一方のエプロン１と接触する面積が大きいほど摩擦力が増え、また補助部材９の押圧力を一方のエプロン１に伝えることができ、両エプロンを、しっかりと堅固に接続できる。従って本発明は、図１等に示されるように、繋ぎ部５を一方のエプロン１の縦の長さに対応して縦長に形成したり、或いは一方のエプロン１に接触する当接面５ａを、繋ぎ部５の突き出し方向の全長と同一になるよう長く形成するのが好ましい。
【００１０】
而して本発明は、繋ぎ部５と、一方のエプロン１の裏面１ａとが、嵌合可能に形成されているのが好ましい（請求項２）。
なぜならこれによると、繋ぎ部５を介して他方のエプロン２が左右方向（側方）に位置ずれすることを防止でき、両エプロンの接続状態を一層堅固にできるからである。
【００１１】
また本発明の場合は、繋ぎ部５が、他方のエプロン２の高さ方向に延ばされて縦長に形成されているのが好ましい（請求項３）。
なぜならこれによると、補助部材９の押圧力を、一方のエプロン１の裏面１ａに縦方向の長い範囲にわたって伝えることができ、その分、両エプロンの接続状態を堅固にできるからである。
【００１２】
また本発明は、図１、図３等に示されるように、補助部材９が、復元力を備え、床パン押圧部９ａと、この床パン押圧部９ａの一端に連なる取付部９ｂとで形成されていると共に、他方のエプロン２の下部に、上記の取付部９ｂを利用して取り付けられているのが好ましい（請求項４）。
なぜならこれによると、補助部材９の構造を簡単化、簡素化でき、その分、補助部材９を低廉化できるだけではなく、接続作業をワンタッチで簡単、迅速にできるからである。補助部材９は、具体的には板バネやゴム等の弾性部材で形成される。なお、本発明の場合、補助部材９は、他方のエプロン２の下部の裏面２ｂや、或いは下部に固定するモール部材に取り付けられる。
【００１３】
また本発明は、図７〜図１２に示されるように、補助部材９が、床パン押圧部９ａを取付部９ｂの周りに、取付部９ｂの同じ側に傾けられて、且つ夫々異なる状態で複数備え、何れか一つの床パン押圧部９ａの開放端を下にして他方のエプロン２の下部に、上記の取付部９ｂを利用して取り付けられているのでも良い（請求項５）。
なぜならこれによると、ユニットバスのサイズ違いや設置のバラツキなどで補助部材９の復元力（弾性力）を変更したいとき、床パン押圧部９ａを現場で上下逆にしたり、或いは回すことで、簡単、迅速、且つ柔軟に対応できるからである。ここで、異なる状態、とは、具体的には、床パン押圧部９ａの長さ、幅、傾斜角度、板バネの強度等が違えられている状態を意味する。
【００１４】
また本発明は、補助部材９が、繋ぎ部５の近傍に設けられているのが好ましい（請求項６）。
なぜならこれによると、補助部材９の復元力を確実に、且つ損失なく繋ぎ部５に伝えて一方のエプロン１と他方のエプロン２とを接続できるからである。
【発明の効果】
【００１５】
本発明は、このように形成されているから、他方のエプロンを床パンに固定具だけで取り付ける場合より、一方のエプロンと他方のエプロンを、しっかりと堅固に接続できる。従ってこれによれば、他方のエプロンの設置状態を安定化でき、例えば浴槽エプロンが反って変形を来たしても、エプロン同士の接続箇所の前面に段差が生じることを防止できる。
また本発明は、補助部材が凸段差部を突っ張って繋ぎ部を一方のエプロンに押圧し、これにより両エプロンを接続するものである。従ってこれによれば、簡単、迅速、且つ低コストで両エプロンを接続でき、また接着等の手段によるものではないから、メンテナンス等の際に、他方のエプロンの脱着を容易にでき、エプロンの解体時に補助部材を損傷することもない。
【図面の簡単な説明】
【００１６】
【図１】本発明の浴槽エプロンの好適な一実施形態を示す設置時の要部斜視図である。
【図２】同上浴槽エプロンの設置時の洗い場側から見た要部斜視図である。
【図３】同上浴槽エプロンの要部拡大斜視図である。
【図４】図３のＩＶ−ＩＶ線における断面図である。
【図５】補助部材の斜視図である。
【図６】同上浴槽エプロンの設置時の一部を切欠した要部平面図である。
【図７】補助部材の他の実施形態を示す要部斜視図である。
【図８】図７の補助部材を備えた浴槽エプロンの要部拡大斜視図である。
【図９】補助部材の他の実施形態を示す斜視図である。
【図１０】図９の補助部材を備えた浴槽エプロンの要部拡大斜視図である。
【図１１】補助部材の他の実施形態を示す正面図である。
【図１２】補助部材の他の実施形態を示す正面図である。
【図１３】補助部材の他の実施形態を示す取付時の側面図である。
【図１４】補助部材の他の実施形態を示す取付時の平面図である。
【図１５】図１４のＸＶ−ＸＶ線における断面図である。
【図１６】補助部材の更に他の実施形態を示す取付時の断面図である。
【発明を実施するための形態】
【００１７】
以下、本発明を実施するための好適な一実施形態を、添付図面に従って説明する。
本発明品は、図１、図２等に示されるように、一方のエプロン１と他方のエプロン２を接続して浴槽３の一側面を覆うように形成されている分割型の浴槽エプロンである。この実施形態では、一方のエプロン１は左右方向に長く、他方のエプロン２は左右方向の幅が短い状態に形成され、洗い場４に面する浴槽３の一側面を、左右方向に２分割した、大小のエプロン１、２で覆う事例である。
【００１８】
５は、一方のエプロン１の、例えば裏面１ａに宛がわれる繋ぎ部である。この繋ぎ部５は、この実施形態では他方のエプロン２の側端部から一方のエプロン１の裏面１ａに沿って側方に突き出されている。またこの繋ぎ部５は、他方のエプロン２の高さとほぼ同一になるよう縦方向に延ばされ、他方のエプロン２に一体状に設けられている。
【００１９】
この場合、繋ぎ部５は、一方のエプロン１の裏面１ａに当接する当接面５ａと、他方のエプロン２の側端面２ａとで、他方のエプロン２を上から見たとき、ほぼ鉤形になるよう、一方のエプロン１側に突き出されている。またこの実施形態の本発明品は、繋ぎ部５と、一方のエプロン１の裏面１ａとが、嵌合可能に形成されている。
【００２０】
具体的には、繋ぎ部５の突き出し端５ｂが、一方のエプロン１の裏面１ａ側に屈曲されて嵌合用の雄部６に形成されている。そして、この雄部６が嵌合する雌部７が、一方のエプロン１の裏面１ａに縦溝状に形成されている。この場合、雄部６は突き出し端５ｂの縦方向の全長にわたって形成され、また雌部７は一方のエプロン１の高さ方向に延ばされ、一方のエプロン１の縦の長さとほぼ同等に形成されている。
なお、両エプロン１、２は、接続時に前面が面一になるよう、一方のエプロン１の厚みと、他方のエプロン２の前面から繋ぎ部５の当接面５ａまでの間隔とが、同一に選定されている。
【００２１】
また本発明は、他方のエプロン２に、この他方のエプロン２と対向する床パン８の凸段差部８ａの起立面８ｂを押圧する補助部材９が設けられている。本発明は、この補助部材９で他方のエプロン２を洗い場４側に押して上記の繋ぎ部５を一方のエプロン１に押圧し、一方のエプロン１と他方のエプロン２とを接続するものである。
【００２２】
上記の補助部材９は、復元力を備え、例えば板バネ状に形成されている床パン押圧部９ａと、この床パン押圧部９ａの一端に連なる取付部９ｂとで、この実施形態では側面から見て略への字形に形成されている。なお、取付部９ｂは、ネジ挿通孔９ｃを有して形成されている。
【００２３】
そして、このように形成されている補助部材９が、他方のエプロン２の下部に、上記の取付部９ｂを利用して取り付けられている。具体的には、床パン押圧部９ａの他端を下にして、他方のエプロン２の下部の裏面２ｂに、この他方のエプロン２の下部の裏面２ｂから床パン押圧部９ａが後方に突き出される状態で、取付部９ｂのネジ挿通孔９ｃを利用してネジ１０で取り付けられている。
【００２４】
１１（図１等参照）は、一方のエプロン１と他方のエプロン２を、床パン８に固定する固定具である。この固定具１１は、この実施形態では床パン８の凸段差部８ａと係合するよう、例えば金属板が折り曲げられて形成されている。そして固定具１１は、両エプロン１、２の裏面下部の所定位置に、後方に突き出されて設けられている。
【００２５】
次に、本発明品の設置例等を説明する。
【００２６】
作業者は、先ず、他方のエプロン２を所定位置に設置する。この場合、他方のエプロン２の繋ぎ部５の側は、補助部材９が床パン８の凸段差部８ａの起立面８ｂにつかえるため、洗い場４側に少し出っ張った状態で配置される。
次に、この状態で作業者は、洗い場４側から、一方のエプロン１を、補助部材９の復元力に抗して浴槽３の側に押し込み、固定具１１を凸段差部８ａに係合させて設置する。
【００２７】
而して、一方のエプロン１が設置されると、補助部材９の復元力で繋ぎ部５が一方のエプロン１の裏面１ａに押し付けられ、一方のエプロン１と他方のエプロン２とが、図１、図６に示されるように、しっかりと堅固に接続される。
なお、両エプロン１、２が接続されると、繋ぎ部５の雄部６は一方のエプロン１の雌部７に完全に嵌合する。
【００２８】
また両エプロン１、２を解体する場合は、先ず作業者は、一方のエプロン１を洗い場４側に引き出し、固定具１１と、床パン８の凸段差部８ａとの係合状態を解いて、一方のエプロン１を取り外す。これにより、他方のエプロン２は、洗い場４側からの押さえがなくなるため、補助部材９の復元力で繋ぎ部５の側が洗い場４側に押し出される。従って次に作業者が、この他方のエプロン２を取り外すことにより、両エプロン１、２が解体される。
【００２９】
以上の処において、本発明の場合、上記の補助部材９は、図７〜図１２に示されるように形成されているのでも良い。
【００３０】
即ち、この本発明では、補助部材９が、床パン押圧部９ａを取付部９ｂの周りに、取付部９ｂの同じ側に傾けられて、且つ夫々異なる状態で複数備えて形成されている。そして補助部材９は、何れか一つの床パン押圧部９ａの開放端を下にして他方のエプロン２の下部に、例えばこの他方のエプロン２の下部の裏面２ｂから床パン押圧部９ａが後方に突き出される状態で、上記の取付部９ｂを利用して取り付けられている。
【００３１】
この場合、図７に示す補助部材９は、床パン押圧部９ａが、取付部９ｂの周りの反対位置に、取付部９ｂの同じ側に傾けられて、且つ夫々長さ、及び傾斜角度が異なる状態で一対設けられている例である。この実施形態の場合は、ユニットバスの設置の仕方等で他方のエプロン２と、床パン８の凸段差部８ａとの間隔にバラツキがあっても、図８に矢示するように、床パン押圧部９ａを現場で上下逆に取り付け直すことで柔軟に対応できる。
【００３２】
また図９に示される補助部材９は、床パン押圧部９ａが、取付部９ｂの周りに９０度づつ、取付部９ｂの同じ側に傾けられて、且つ夫々長さ、幅、及び傾斜角度が異なる状態で、計４個設けられている例である。この実施形態の場合は、図１０に矢示するように、床パン押圧部９ａを回して適宜の床パン押圧部９ａを選択することで、四通りの状態で使用できる。従ってこれによれば、他方のエプロン２と、床パン８の凸段差部８ａとの間隔にバラツキがあっても、より一層、柔軟に対応できる。
【００３３】
また床パン押圧部９ａは、図１１に示されるように、取付部９ｂの周りに、例えば９０度隔てて、２個形成されたり、或いは図１２に示されるように、９０度隔てて、計３個形成されているのでも良い。図１１に示される補助部材９の場合、床パン押圧部９ａは、長さ、幅、及び傾斜角度が違えられている例である。また図１２に示される補助部材９は、図面上、左側の床パン押圧部９ａの幅が、取付部９ｂの一辺の長さを越えて広く形成され、長さ、幅、及び傾斜角度が夫々違えられている例である。
【００３４】
また本発明の場合、補助部材９は、図１３に示されるように、床パン押圧部９ａの先に、平面部９ｄが形成されているのでも良い。この場合は、平面部９ｄを凸段差部８ａの起立面８ｂに密着させることができるから、押圧状態が安定化する、という利点がある。
【００３５】
更に本発明の補助部材９は、図１４、図１６に示されるように、他方のエプロン２と凸段差部８ａとの密着性を高めることができるよう、インサート部材で形成されているのでも良い。図１４に示される実施形態の補助部材９は、上から見て略楕円形の板バネ状に形成されている例である。また図１６に示される補助部材９は、ゴム等の弾性部材で復元質に形成されている例である。
【符号の説明】
【００３６】
１      一方のエプロン
２      他方のエプロン
３      浴槽
４      洗い場
５      繋ぎ部
８      床パン
８ａ    凸段差部
８ｂ    起立面
９      補助部材
１１    固定具
【図１】
0005600565.tif 000002
【図２】
0005600565.tif 000003
【図３】
0005600565.tif 000004
【図４】
0005600565.tif 000005
【図５】
0005600565.tif 000006
【図６】
0005600565.tif 000007
【図７】
0005600565.tif 000008
【図８】
0005600565.tif 000009
【図９】
0005600565.tif 000010
【図１０】
0005600565.tif 000011
【図１１】
0005600565.tif 000012
【図１２】
0005600565.tif 000013
【図１３】
0005600565.tif 000014
【図１４】
0005600565.tif 000015
【図１５】
0005600565.tif 000016
【図１６】
0005600565.tif 000017